(57)【要約】【課題】方位検出範囲の外に存在する対象物の方位を検出することができる車載用のレーダ装置を提供する。【解決手段】車載用のレーダ装置は、整数倍の関係にない２種類以上の平均ピッチの受信アレーアンテナを実現する複数の受信アンテナと、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する方位検出処理を行い、検出された前記対象物の方位が一致すると判定した場合には前記対象物が前記見かけ上で前記方位検出処理における最も狭い方位検出範囲の内に存在すると判定する方位検出部と、を備える。【選択図】図３
2013101025.tif 000002
【特許請求の範囲】
【請求項１】
送信波が対象物によって反射されて到来する受信波を受信する受信アレーアンテナとして、整数倍の関係にない２種類以上の平均ピッチの受信アレーアンテナを実現する複数の受信アンテナと、
前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する方位検出部と、
を備えることを特徴とする車載用のレーダ装置。
【請求項２】
前記方位検出部は、前記２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、当該検出された前記対象物の方位を前記所定の角度の逆の角度だけ変化させた結果を前記対象物の方位として検出する、
ことを特徴とする請求項１に記載の車載用のレーダ装置。
【請求項３】
前記方位検出部は、
まず、前記２種類以上の平均ピッチの受信アレーアンテナのそれぞれによる受信信号に基づいて前記対象物の方位を検出する方位検出処理を行い、これら２種類以上の平均ピッチの受信アレーアンテナのそれぞれによる受信信号に基づいて検出された前記対象物の方位が一致すると判定した場合には当該検出された前記対象物の方位は正しいと判定し、これら２種類以上の平均ピッチの受信アレーアンテナのそれぞれによる受信信号に基づいて検出された前記対象物の方位が不一致であると判定した場合には当該検出された前記対象物の方位は正しくないと判定し、
これにより、前記２種類以上の平均ピッチの受信アレーアンテナのそれぞれによる受信信号に基づいて検出された前記対象物の方位が不一致であると判定した場合には、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する前記方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する、
ことを特徴とする請求項１または請求項２に記載の車載用のレーダ装置。
【請求項４】
前記方位検出部は、
前記所定の角度としてプラスの方向とマイナスの方向とで同じ量について、
前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する前記方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する、
ことを特徴とする請求項３に記載の車載用のレーダ装置。
【請求項５】
前記方位検出部は、
まず、前記２種類以上の平均ピッチの受信アレーアンテナのそれぞれによる受信信号に基づいて前記対象物の方位を検出する方位検出処理を行い、これら２種類以上の平均ピッチの受信アレーアンテナのそれぞれによる受信信号に基づいて検出された前記対象物の方位が一致すると判定した場合には当該検出された前記対象物の方位は正しいと判定し、これら２種類以上の平均ピッチの受信アレーアンテナのそれぞれによる受信信号に基づいて検出された前記対象物の方位が不一致であると判定した場合には当該検出された前記対象物の方位は正しくないと判定し、
これにより、前記２種類以上の平均ピッチの受信アレーアンテナのそれぞれによる受信信号に基づいて検出された前記対象物の方位が不一致であると判定した場合には、前記２種類以上の平均ピッチの受信アレーアンテナのそれぞれによる受信信号に基づいて検出された前記対象物の方位の位置関係に基づいて決定されるプラスとマイナスのいずれか一方の方向の角度について、
前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する前記方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する、
ことを特徴とする請求項１または請求項２に記載の車載用のレーダ装置。
【請求項６】
送信波が対象物によって反射されて到来する受信波を受信する受信アレーアンテナとして、整数倍の関係にない２種類以上の平均ピッチの受信アレーアンテナを実現する複数の受信アンテナを使用し、
方位検出部が、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する、
ことを特徴とする車載用のレーダ方法。
【請求項７】
送信波が対象物によって反射されて到来する受信波を受信する受信アレーアンテナとして、整数倍の関係にない２種類以上の平均ピッチの受信アレーアンテナを実現する複数の受信アンテナを使用し、方位検出部が、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する手順をコンピュータに実行させるための車載用のレーダプログラム。
【発明の詳細な説明】
【技術分野】
【０００１】
本発明は、車載用のレーダ装置、車載用のレーダ方法および車載用のレーダプログラムに関する。
【背景技術】
【０００２】
近年、自動車などの車両における利便性や安全性の向上のために、センシング装置として、ミリ波レーダを利用した車載用のレーダ装置の搭載が活発となっている。
特に、縦方向の検出手法としては、対象物（物体）との距離と相対速度を同時に取得することが可能であるＦＭＣＷ（Ｆｒｅｑｕｅｎｃｙ  Ｍｏｄｕｌａｔｅｄ  Ｃｏｎｔｉｎｕｏｕｓ  Ｗａｖｅ）方式が一般的に用いられている。また、横方向の検出手法としては、デジタルビームフォーミング（ＤＢＦ：Ｄｉｇｉｔａｌ  Ｂｅａｍ  Ｆｏｒｍｉｎｇ）による対象物の方位検出や、ＭＵＳＩＣ（ＭＵｌｔｉｐｌｅ  ＳＩｇｎａｌ  Ｃｌａｓｓｉｆｉｃａｔｉｏｎ）による対象物の分離などの方式が一般的に知られている。
【０００３】
ここで、車載用のレーダ装置は、例えば、車両の前方に電波（送信波）を送出して、当該車両の前方に存在する対象物に関する情報を検出（検知）するために、当該車両の前方の部分に設けられる。
この場合、縦方向とは、車両の前方方向（進行方向）と同じ方向のことを表す。また、この場合、横方向とは、車両の前方方向（進行方向）に対して方位（方位角度）の方向を表す。
【０００４】
ＦＭＣＷ方式を使用する車載用のレーダ装置では、送信アンテナから変調波を送信し、受信アンテナが並んだアレーアンテナによって反射物（対象物）からの反射波を受信して、その受信信号をミキサによりミキシングすることにより、ビート信号を生成する。その後、このビート信号をＡ／Ｄ（Ａｎａｌｏｇ  ｔｏ  Ｄｉｇｉｔａｌ）変換器によりデジタル信号にして取り込み、そのデジタル信号をＦＦＴ（Ｆａｓｔ  Ｆｏｕｒｉｅｒ  Ｔｒａｎｓｆｏｒｍ）処理することにより、反射物に対する周波数成分を抽出する。そして、変調周波数の増加区間と減少区間において抽出された周波数成分の組合わせにより、対象物の相対速度と距離を算出する。
【０００５】
また、車載用のレーダ装置では、反射物に対する周波数成分に対して、ＤＢＦや高分解能アルゴリズムなどの信号処理を用いた方位検出を行うことで、対象物の方位を算出する。
【０００６】
ところで、従来の技術では、方位検出が可能な範囲（方位検出範囲）は、受信アレーアンテナの素子間隔において、位相が１８０°回るところまでであり、１８０°以上位相が回った場合には、方位が右であるかあるいは左であるかを判別することができない折返し領域となってしまう。
なお、本願明細書では、方位検出範囲をＦＯＶ（Ｆｉｅｌｄ  Ｏｆ  Ｖｉｅｗ）とも称す。
【０００７】
図１１は、等ピッチの受信アレーアンテナの構成を示すブロック図である。
図１１に示す等ピッチの受信アレーアンテナは、５個の受信アンテナ（受信素子）８０１−１〜８０１−５を等しい間隔（ピッチ）ｄ０で一列に並べた配置で構成されている。
なお、受信アレーアンテナを構成する受信アンテナの数は、他の数であってもよい。
【０００８】
従来の技術では、このようにアレーアンテナの各受信素子を等間隔に並べた等ピッチアレーアンテナで受信して得られたビート信号についてＦＦＴ処理することにより、反射物（対象物）に対する周波数成分を抽出し、この反射物に対する周波数成分に対してＤＢＦや高分解能アルゴリズムなどの信号処理を用いた方位検出を行う。この場合、アレーアンテナで規定以上の位相差がついたときには、対象物が方位検出範囲の内にあるのかあるいは外にあるのかを区別することができず、対象物の方位が左右のいずれにあるのかを判別することができなかった。
【０００９】
このように、従来の技術では、算出した方位検出の結果において、方位検出範囲の外に存在する対象物が方位検出範囲の内に折返した位置で検出されることがあった。
これに対して、従来においても、対処法が考えられていた。
【００１０】
例えば、方位検出の範囲を広げるための構成としては、受信アレーアンテナの素子間隔を狭める構成、または、受信素子数を増やす構成が知られている。
しかしながら、このような構成では、方位検出範囲を広げるために、受信アレーアンテナの素子間隔を狭める、または、受信素子数を増やすことから、例えば、高価な部品を多く使用し、実現性に課題が多かった。
【００１１】
他の例として、対象物の反射レベルの大きさを判定して、方位検出範囲内の対象物であるか否かを判別する方法が考えられる。
しかしながら、このような方法では、方位検出範囲内にあるが反射レベルが小さい対象物を、間違って、方位検出範囲外にある対象物であると判定する場合があるという問題がある。
【００１２】
また、他の例として、方位検出範囲の折返しの予測位置におけるピークの有無などを判定する方法が考えられる。
しかしながら、このような方法では、誤判定する可能性があるという問題がある。
【００１３】
なお、参考として、特許文献１に記載された方位検出装置は、送信アンテナおよび受信アンテナのうち少なくとも一方を複数備え、前記送信および受信アンテナを組合わせてなるチャンネルごとに電波を送受信し、各チャンネルにて受信される受信信号間の位相差に基づいて前記電波を反射した物標の方位を検出するものであり、前記受信信号間の位相差に基づき、当該位相差が−π〜＋π［ｒａｄ］の範囲内にあるものとして、前記物標の方位を算出し、前記位相差の範囲（２ｍ−１）π〜（２ｍ＋１）π［ｒａｄ］（但し、ｍは整数）にそれぞれ対応する方位角度領域のうち、いずれの方位角度領域に前記物標が存在するかを特定し、当該特定の結果に従って、前記方位の算出により算出された方位を補正する（特許文献１参照。）。
【００１４】
また、参考として、特許文献２に記載されたレーダ送受信機の信号処理装置は、目標物体に反射された送信信号を複数のアンテナで受信して前記アンテナごとのビート信号を生成するものであり、前記ビート信号を合成して合成ビート信号を生成し、前記ビート信号のいずれかと前記合成ビート信号に基づいて前記目標物体の方位角を検出する（特許文献２参照。）。
【先行技術文献】
【特許文献】
【００１５】
【特許文献１】特開２００４−１７０３７１号公報
【特許文献２】特開２０１０−７１８６５号公報
【発明の概要】
【発明が解決しようとする課題】
【００１６】
上述のように、車載用のレーダ装置では、ＤＢＦや高分解能アルゴリズムなどの信号処理を用いて対象物の方位検出を行う際に、方位検出範囲の外に存在する対象物が方位検出範囲の内に折返した位置で検出されることがあった。
この問題について、従来においても対処法が検討されていたが、更に良好な対処法を開発することが望まれていた。
【００１７】
本発明は、このような事情を考慮して為されたものであり、方位検出範囲の外に存在する対象物の方位を検出することができる車載用のレーダ装置、車載用のレーダ方法および車載用のレーダプログラムを提供することを目的としている。
【課題を解決するための手段】
【００１８】
（１）上述した課題を解決するために、本発明に係る車載用のレーダ装置は、送信波が対象物によって反射されて到来する受信波を受信する受信アレーアンテナとして、整数倍の関係にない２種類以上の平均ピッチの受信アレーアンテナを実現する複数の受信アンテナと、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する方位検出部と、を備えることを特徴とする。
【００１９】
（２）本発明は、（１）に記載の車載用のレーダ装置において、前記方位検出部は、前記２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、当該検出された前記対象物の方位を前記所定の角度の逆の角度だけ変化させた結果を前記対象物の方位として検出する、ことを特徴とする。
【００２０】
（３）本発明は、（１）または（２）に記載の車載用のレーダ装置において、前記方位検出部は、まず、前記２種類以上の平均ピッチの受信アレーアンテナのそれぞれによる受信信号に基づいて前記対象物の方位を検出する方位検出処理を行い、これら２種類以上の平均ピッチの受信アレーアンテナのそれぞれによる受信信号に基づいて検出された前記対象物の方位が一致すると判定した場合には当該検出された前記対象物の方位は正しいと判定し、これら２種類以上の平均ピッチの受信アレーアンテナのそれぞれによる受信信号に基づいて検出された前記対象物の方位が不一致であると判定した場合には当該検出された前記対象物の方位は正しくないと判定し、これにより、前記２種類以上の平均ピッチの受信アレーアンテナのそれぞれによる受信信号に基づいて検出された前記対象物の方位が不一致であると判定した場合には、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する前記方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する、ことを特徴とする。
【００２１】
（４）本発明は、（３）に記載の車載用のレーダ装置において、前記方位検出部は、前記所定の角度としてプラスの方向とマイナスの方向とで同じ量について、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する前記方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する、ことを特徴とする。
【００２２】
（５）本発明は、（１）または（２）に記載の車載用のレーダ装置において、前記方位検出部は、まず、前記２種類以上の平均ピッチの受信アレーアンテナのそれぞれによる受信信号に基づいて前記対象物の方位を検出する方位検出処理を行い、これら２種類以上の平均ピッチの受信アレーアンテナのそれぞれによる受信信号に基づいて検出された前記対象物の方位が一致すると判定した場合には当該検出された前記対象物の方位は正しいと判定し、これら２種類以上の平均ピッチの受信アレーアンテナのそれぞれによる受信信号に基づいて検出された前記対象物の方位が不一致であると判定した場合には当該検出された前記対象物の方位は正しくないと判定し、これにより、前記２種類以上の平均ピッチの受信アレーアンテナのそれぞれによる受信信号に基づいて検出された前記対象物の方位が不一致であると判定した場合には、前記２種類以上の平均ピッチの受信アレーアンテナのそれぞれによる受信信号に基づいて検出された前記対象物の方位の位置関係に基づいて決定されるプラスとマイナスのいずれか一方の方向の角度について、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する前記方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する、ことを特徴とする。
【００２３】
（６）上述した課題を解決するために、本発明に係る車載用のレーダ方法は、送信波が対象物によって反射されて到来する受信波を受信する受信アレーアンテナとして、整数倍の関係にない２種類以上の平均ピッチの受信アレーアンテナを実現する複数の受信アンテナを使用し、方位検出部が、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する、ことを特徴とする。
【００２４】
（７）上述した課題を解決するために、本発明に係る車載用のレーダプログラムは、送信波が対象物によって反射されて到来する受信波を受信する受信アレーアンテナとして、整数倍の関係にない２種類以上の平均ピッチの受信アレーアンテナを実現する複数の受信アンテナを使用し、方位検出部が、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における最も狭い方位検出範囲の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における最も狭い方位検出範囲の外に存在すると判定する手順をコンピュータに実行させるための車載用のレーダプログラムである。
【発明の効果】
【００２５】
以上説明したように、本発明によれば、方位検出範囲の外に存在する対象物の方位を検出することができる車載用のレーダ装置、車載用のレーダ方法および車載用のレーダプログラムを提供することが可能になる。
【図面の簡単な説明】
【００２６】
【図１】本発明の一実施形態に係る車載用のレーダ装置の構成を示すブロック図である。
【図２】（ａ）は本発明の一実施形態に係る不等ピッチの受信アレーアンテナの構成を示すブロック図であり、（ｂ）は本発明の一実施形態に係る不等ピッチの受信アレーアンテナを構成する受信アンテナの一部を示すブロック図である。
【図３】本発明の一実施形態に係る方位検出部において行われる処理の手順の一例を示すフローチャート図である。
【図４】（ａ）は方位検出範囲（ＦＯＶ）の内に対象物が存在する場合の様子の例を示す図であり、（ｂ）は方位検出範囲（ＦＯＶ）の外（左）に対象物が存在する場合の様子の例を示す図であり、（ｃ）は方位検出範囲（ＦＯＶ）の外（右）に対象物が存在する場合の様子の例を示す図である。
【図５】（ａ）はシミュレーションにおける自車と他車との関係を示す図であり、（ｂ）はシミュレーションの条件を示す図である。
【図６】本発明の一実施形態に係るレーダ装置に関するシミュレーションの結果を示す図である。
【図７】（ａ）は実機でのシミュレーションにおける自車とＣＲ（コーナリフレクタ）との関係を示す図であり、（ｂ）は実機でのシミュレーションの条件を示す図である。
【図８】本発明の一実施形態に係るレーダ装置に関する実機でのシミュレーションの結果を示す図である。
【図９】（ａ）は対象物の方位を見かけ上で変化（シフト）させる前の様子の例を示す図であり、（ｂ）は対象物の方位を見かけ上で変化（シフト）させた後の様子の例を示す図である。
【図１０】（ａ）は方位検出範囲（ＦＯＶ）の外（左）に対象物が存在する場合の様子の例を示す図であり、（ｂ）は方位検出範囲（ＦＯＶ）の外（左）に対象物が存在する場合における方位検出結果の例を示す図であり、（ｃ）は対象物の方位を見かけ上で変化（シフト）させた後の様子の例を示す図であり、（ｄ）は対象物の方位を見かけ上で変化（シフト）させた後における方位検出結果の例を示す図である。
【図１１】等ピッチの受信アレーアンテナの構成を示すブロック図である。
【発明を実施するための形態】
【００２７】
図１は、本発明の一実施形態に係る車載用のレーダ装置の構成を示すブロック図である。
本実施形態では、車載用のレーダ装置の一例として、電子走査型レーダ装置（ＦＭＣＷ方式のミリ波レーダ装置）を示す。
本実施形態に係る車載用のレーダ装置は、車両（本実施形態では、一例として、自動車）の前方に電波（送信波）を送出して、当該車両の前方に存在する対象物（ターゲット）に関する情報を検出（検知）するために、当該車両の前方の部分に設けられている。
【００２８】
本実施形態に係るレーダ装置は、ｎ（ｎは複数）個の受信アンテナ（受信素子）１−１〜１−ｎと、ｎ個のミキサ２−１〜２−ｎと、ｎ個のフィルタ３−１〜３―ｎと、スイッチ（ＳＷ）４と、Ａ／Ｄ変換器（ＡＤＣ）５と、制御部６と、三角波生成部７と、電圧制御発振器（ＶＣＯ：Ｖｏｌｔａｇｅ  Ｃｏｎｔｒｏｌｌｅｄ  Ｏｓｃｉｌｌａｔｏｒ）８と、分配器９と、送信アンテナ１０と、信号処理部２０と、を備える。
また、本実施形態に係るレーダ装置は、ｎ個のアンプ（増幅器）４１−１〜４１−ｎと、アンプ４２と、アンプ４３と、アンプ４４と、ｎ個のアンプ４５−１〜４５−ｎと、を備える。
【００２９】
ここで、本実施形態に係るレーダ装置は、受信アレーアンテナを構成するｎ個のチャンネル（Ｃｈ）の受信系を有している。各チャンネルごとに、受信アンテナ１−１〜１−ｎと、アンプ４１−１〜４１−ｎと、ミキサ２−１〜２−ｎと、フィルタ３−１〜３―ｎと、アンプ４５−１〜４５−ｎと、を有する。
本実施形態では、一例として、ｎ＝５である場合を示す。
【００３０】
信号処理部２０は、メモリ２１と、周波数分離処理部２２と、ピーク検知部２３と、ピーク組合せ部２４と、距離検出部２５と、速度検出部２６と、ペア確定部２７と、相関行列算出部２８と、固有値算出部２９と、判定部３０と、方位検出部３１と、を備える。
【００３１】
本実施形態に係るレーダ装置において行われる概略的な動作の例を説明する。
三角波生成部７は、制御部６により制御されて、三角波信号を生成してアンプ４３に出力する。
アンプ４３は、三角波生成部７から入力された三角波信号を増幅してＶＣＯ８に出力する。
ＶＣＯ８は、アンプ４３から入力された三角波信号に基づいて、当該三角波信号について周波数変調を行った信号を送信信号として分配器９に出力する。
【００３２】
分配器９は、ＶＣＯ８から入力された送信信号を２つに分配して、一方の分配信号をアンプ４４に出力し、他方の分配信号を各アンプ４５−１〜４５−ｎに出力する。
アンプ４４は、分配器９から入力された信号を増幅して送信アンテナ１０に出力する。
送信アンテナ１０は、アンプ４４から入力された信号を送信波として無線により送信する。
この送信波は、対象物によって反射される。
【００３３】
各受信アンテナ１−１〜１−ｎは、送信アンテナ１０から送信された送信波が対象物によって反射して到来する反射波（すなわち、受信波）を受信し、受信した受信波を各アンプ４１−１〜４１−ｎに出力する。
各アンプ４１−１〜４１−ｎは、各受信アンテナ１−１〜１−ｎから入力された受信波を増幅して各ミキサ２−１〜２−ｎに出力する。
【００３４】
各アンプ４５−１〜４５−ｎは、分配器９から入力された信号（送信信号が分配されたもの）を増幅して各ミキサ２−１〜２−ｎに出力する。
各ミキサ２−１〜２−ｎは、各アンプ４１−１〜４１−ｎから入力される受信波の信号と、各アンプ４５−１〜４５−ｎから入力される信号（送信アンテナ１０から送信される送信波の信号）とを混合（ミキシング）して、それぞれの周波数差に対応したビート信号を生成し、生成したビート信号を各フィルタ３−１〜３−ｎに出力する。
【００３５】
各フィルタ３−１〜３−ｎは、各ミキサ２−１〜２−ｎから入力されたビート信号（各受信アンテナ１−１〜１−ｎに対応したチャンネル１〜ｎのビート信号）に対して帯域制限を行い、帯域制限したビート信号をスイッチ４に出力する。
スイッチ４は、制御部６から入力されるサンプリング信号に対応して、各フィルタ３−１〜３−ｎから入力されたビート信号を、順次切り替えて、アンプ４２に出力する。
アンプ４２は、スイッチ４から入力されたビート信号を増幅してＡ／Ｄ変換器５に出力する。
【００３６】
Ａ／Ｄ変換器５は、制御部６から入力されるサンプリング信号に対応して、スイッチ４からサンプリング信号に同期して入力されるビート信号（各受信アンテナ１−１〜１−ｎに対応した各チャンネル１〜ｎのビート信号）を、サンプリング信号に同期してＡ／Ｄ変換することで、アナログ信号からデジタル信号へ変換し、これにより得られたデジタル信号を信号処理部２０におけるメモリ２１の波形記憶領域に順次記憶させる。
【００３７】
制御部６は、例えば、マイクロコンピュータなどを用いて構成されている。
制御部６は、図示しないＲＯＭ（Ｒｅａｄ  Ｏｎｌｙ  Ｍｅｍｏｒｙ）などに格納された制御プログラムに基づいて、レーダ装置における全体の制御を行う。
具体例として、制御部６は、三角波生成部７により三角波信号を生成する処理を制御し、また、あらかじめ定められたサンプリング信号を生成してスイッチ４とＡ／Ｄ変換器５に出力する。
【００３８】
続いて、信号処理部２０において行われる概略的な動作の例を説明する。
メモリ２１は、その波形記憶領域に、Ａ／Ｄ変換器５により得られたデジタル信号（ビート信号）を、アンテナ１−１〜１−ｎごとに対応させて、記憶している。このデジタル信号は、上昇部分および下降部分の時系列データとなる。
例えば、上昇部分と下降部分のそれぞれにおいて２５６個の値をサンプリングした場合には、２×２５６個×アンテナ数のデータが、メモリ２１の波形記憶領域に記憶される。
【００３９】
周波数分解処理部２２は、周波数変換（例えば、フーリエ変換、ＤＴＣ、アダマール変換、ウェーブレッド変換など）により、各チャンネル１〜ｎ（各アンテナ１−１〜１−ｎ）に対応するビート信号を、それぞれ、あらかじめ設定された分解能に応じて周波数成分へ変換し、これにより得られる、ビート周波数を示す周波数ポイントと、そのビート周波数の複素数データを、ピーク検知部２３と相関行列算出部２８と方位検出部３１に出力する。
【００４０】
これについて具体的に説明する。
本実施形態に係るレーダ装置では、送信信号に対して、対象物からの反射波である受信信号が、本実施形態に係るレーダ装置と対象物との距離に比例して時間遅れ方向（例えば、図示しないグラフの右方向）に遅延されて受信される。さらに、受信信号は、本実施形態に係るレーダ装置と対象物との相対速度に比例して、送信信号に対して周波数方向（例えば、図示しないグラフの上下方向）に変動する。
【００４１】
このとき、ビート信号を周波数変換すると、対象物が１つである場合には、三角波の上昇部分（上昇領域）および下降部分（下降領域）のそれぞれに１つのピーク値を有することなる。
【００４２】
周波数分解処理部２２は、メモリ２１に蓄積されたビート信号がサンプリングされたデータを、三角波の上昇部分（上り）と下降部分（下り）のそれぞれについて、周波数分解（例えば、フーリエ変換など）により、離散時間に周波数変換する。すなわち、周波数分解処理部２２は、ビート信号をあらかじめ設定された周波数帯域幅を有するビート周波数に周波数分解して、ビート周波数ごとに分解されたビート信号に基づいた複素数データを算出する。
この結果、三角波の上昇部分と下降部分において、それぞれ、周波数分解されたビート周波数ごとの信号レベルが得られる。この結果が、ピーク検知部２３と相関行列算出部２８と方位検出部３１に出力される。
【００４３】
例えば、受信アンテナ１−１〜１−ｎごとに三角波の上昇部分および下降部分のそれぞれについて２５６個のサンプリングが行われたデータを有する場合には、三角波の上昇部分および下降部分のそれぞれにおいて１２８個の複素数データ（２×１２８個×アンテナ数のデータ）となる。
ここで、受信アンテナ１−１〜１−ｎごとの複素数データには、所定の角度θに依存した位相差があり、それぞれの複素数データの複素平面上における絶対値（例えば、受信強度あるいは振幅など）は等価である。
【００４４】
なお、所定の角度θについて説明する。
受信アンテナ１−１〜１−ｎが、アレー状に配置される場合を考える。
受信アンテナ１−１〜１−ｎには、アンテナを配列している面に対する垂直方向の軸に対して角度θの方向から入射される、対象物からの到来波（入射波、すなわち送信アンテナ１０から送信した送信波に対する対象物からの反射波）が入力する。
【００４５】
このとき、その到来波は、受信アンテナ１−１〜１−ｎにおいて同一の角度θで受信される。
この同一の角度θおよびある２個の隣接する受信アンテナ１−１〜１−ｎの間隔ｄにより求められる位相差（経路差である「ｄ・sinθ」に比例する値）が、これら２個の隣接する受信アンテナ１−１〜１−ｎの間で発生する。
この位相差を利用して、ＤＢＦや高分解能アルゴリズムなどの信号処理を用いた方位検出を行うことで、対象物の方位（角度θ）を検出することができる。
【００４６】
ピーク検知部２３は、周波数分解処理部２２から入力された情報に基づいて、三角波の上昇部分および下降部分のそれぞれにおいて、あらかじめ設定された数値を超える複素数データのピーク値（例えば、受信強度あるいは振幅などのピーク値）を有するビート周波数を検出することにより、ビート周波数ごとに対象物の存在を検出（検知）して、検出した対象物に対応したビート周波数をターゲット周波数として選択する。ピーク検知部２３は、ターゲット周波数の検出結果（ターゲット周波数のビート周波数とそのピーク値）をピーク組合せ部２４に出力する。
【００４７】
なお、ピーク検知部２３では、例えば、いずれかの受信アンテナ１−１〜１−ｎに関する複素数データを周波数スペクトル化したもの、または、全ての受信アンテナ１−１〜１−ｎに関する複素数データの加算値を周波数スペクトル化したものなどに基づいて、周波数スペクトルにおける各ピーク値に対応するビート周波数をターゲット周波数として検出することができる。ここで、全ての受信アンテナ１−１〜１−ｎの複素数データの加算値を用いる場合には、ノイズ成分が平均化されてＳ／Ｎ比（信号対雑音比）が向上することが期待される。
【００４８】
ピーク組合せ部２４は、ピーク検知部２３から入力された情報（ターゲット周波数のビート周波数とそのピーク値）について、上昇部分および下降部分のそれぞれにおけるビート周波数とそのピーク値をマトリクス状に総当たりで組合わせ、これにより上昇部分および下降部分のそれぞれにおけるビート周波数を全て組合わせて、この組合わせの結果を、順次、距離検出部２５と速度検出部２６に出力する。
【００４９】
距離検出部２５は、ピーク組合せ部２４から順次入力される上昇部分と下降部分の組合わせにおけるビート周波数（ターゲット周波数）を加算した数値に基づいて、対象物との距離ｒを演算し、その結果（この例では、ピーク値を含む）をペア確定部２７に出力する。
距離ｒは、式（１）で表される。
【００５０】
ｒ＝｛Ｃ・Ｔ／（２・Δｆ）｝・｛（ｆｕ＋ｆｄ）／２｝  ・・（１）
【００５１】
ここで、Ｃは光速度を表し、Ｔは変調時間（上昇部分または下降部分）を表し、Δｆは三角波の周波数変調幅を表す。また、ｆｕはピーク組合せ部２４から出力される三角波の上昇部分のターゲット周波数を表し、ｆｄはピーク組合せ部２４から出力される三角波の下降部分のターゲット周波数を表す。
【００５２】
速度検出部２６は、ピーク組合せ部２４から順次入力される上昇部分と下降部分の組合わせにおけるビート周波数（ターゲット周波数）の差分の数値に基づいて、対象物との相対速度ｖを演算し、その結果（この例では、ピーク値を含む）をペア確定部２７に出力する。
相対速度ｖは、式（２）で表される。
【００５３】
ｖ＝｛Ｃ／（２・ｆ０）｝・｛（ｆｕ−ｆｄ）／２｝  ・・（２）
【００５４】
ここで、ｆ０は三角波の中心周波数を表す。
【００５５】
ペア確定部２７は、距離検出部２５から入力された情報および速度検出部２６から入力された情報に基づいて、対象物ごとに対応した上昇部分および下降部分のそれぞれのピークの適切な組合わせを判定して、上昇部分および下降部分のそれぞれのピークのペアを確定し、確定したペア（距離ｒ、相対速度ｖ、周波数ポイント）を示すターゲット群番号を周波数分離処理部２２に出力する。
【００５６】
なお、ここでは、各ターゲット群は、方位が決定されていないため、本実施形態に係るレーダ装置における受信アンテナアレーの配列方向に対する垂直軸に対して、受信アンテナ１−１〜１−ｎの配列方向に平行な横方向の位置は決定されていない。
【００５７】
相関行列算出部２８は、周波数分解処理部２８から入力された情報に基づいて、あらかじめ定められた相関行列を算出し、その結果を固有値算出部２９に出力する。
固有値算出部２９は、相関行列算出部２８から入力された情報に基づいて、固有値を算出し、その結果を判定部３０と方位検出部３１に出力する。
判定部３０は、固有値算出部２９から入力された情報に基づいて、次数を判定し、その結果を方位検出部３１に出力する。
【００５８】
方位検出部３１は、周波数分解処理部２２から入力された情報や、固有値算出部２９から入力された情報や、判定部３０から入力された情報に基づいて、対象物の方位（方位角度）を検出して出力する。
【００５９】
ここで、方位検出部３１により対象物の方位を検出するために使用する手法（例えば、アルゴリズム）としては、後述する方位検出に関する本実施形態に係るレーダ装置に特徴的な点を除いて、公知のものを含めて様々な手法が用いられてもよい。
具体例として、方位検出部３１は、高分解能アルゴリズムであるＡＲスペクトル推定法やＭＵＳＩＣ法などを用いてスペクトル推定処理を行い、スペクトル推定処理の結果に基づいて、対象物の方位を検出することができる。なお、本実施形態では、改良共分散法（ＭＣＯＶ法）を利用する。
【００６０】
また、相関行列算出部２８や固有値算出部２９や判定部３０や方位検出部３１に対応する構成部分（この例では、相関行列、固有値および次数を求めて、対象物の方位を検出する構成部分）は、信号処理部２０において用いられる方位検出の手法によって、その手法に合わせた構成や動作が用いられ、本実施形態とは異なる構成や動作が用いられてもよい。
また、方位検出の手法としては、他の例として、ＤＢＦなどが用いられてもよい。
【００６１】
なお、対象物について、距離、相対速度、方位（方位角度）を検出する原理としては、後述する方位検出に関する本実施形態に係るレーダ装置に特徴的な点を除いて、例えば、特開２０１１−１６３８８３号公報などに開示される公知の技術を利用することが可能である。
【００６２】
次に、方位検出に関する本実施形態に係るレーダ装置に特徴的な点について説明する。
本実施形態では、ｎ個の受信アンテナから構成される受信アレーアンテナとして、不等ピッチの受信アレーアンテナを用いている。
【００６３】
図２（ａ）は、本発明の一実施形態に係る不等ピッチの受信アレーアンテナの構成を示すブロック図である。
図２（ｂ）は、本実施形態に係る不等ピッチの受信アレーアンテナを構成する受信アンテナの一部を示すブロック図である。
【００６４】
図２（ａ）に示されるように、本実施形態に係る不等ピッチの受信アレーアンテナは、ｎ（本実施形態では、ｎ＝５）個の受信アンテナ１−１〜１−５を一列に並べた配置で構成されている。
第１の受信アンテナ１−１と第２の受信アンテナ１−２との間隔（ピッチ）はｄ２であり、第２の受信アンテナ１−２と第３の受信アンテナ１−３との間隔はｄ１であり、第３の受信アンテナ１−３と第４の受信アンテナ１−４との間隔はｄ１であり、第４の受信アンテナ１−４と第５の受信アンテナ１−５との間隔はｄ２である。
【００６５】
ここで、間隔ｄ１と間隔ｄ２は、それぞれ、異なる値である（ｄ１≠ｄ２）。本実施形態では、ｄ１の方がｄ２よりも大きい（ｄ１＞ｄ２）。
また、間隔ｄ１と間隔ｄ２は、整数倍の関係がない（ｄ１≠ｐ・ｄ２：ｐ＝１、２、３、・・・）。
また、全ての受信アンテナ１−１〜１−５について、隣接する受信アンテナの間隔の平均値（平均ピッチ）をｄ０とする（ｄ０＝（ｄ２＋ｄ１＋ｄ１＋ｄ２）／４）。
【００６６】
なお、ｎ個の受信アンテナ１−１〜１−ｎから構成される受信アレーアンテナにおいて、ｉ＝１、２、・・・（ｎ−１）として、（ｎ−１）個の隣接する受信アンテナの間隔をそれぞれｄ（ｉ）と表すと、全ての受信アンテナ１−１〜１−ｎについての平均の間隔（平均ピッチ）ｄ０は、式（３）で表される。
【００６７】
ｄ０＝Σｄ（ｉ）／（ｎ−１）
（Σは、ｉ＝１〜（ｎ−１）のときの和を取る）  ・・（３）
【００６８】
図２（ｂ）に示されるように、本実施形態に係る不等ピッチの受信アレーアンテナを構成する受信アンテナの一部を使用することができる。
この例では、３個の受信アンテナとして、第２の受信アンテナ１−２と、第３の受信アンテナ１−３と、第４の受信アンテナ１−４を使用する。この場合、隣接する受信アンテナの間隔はいずれも等しい間隔ｄ１となる。
【００６９】
なお、このように一部の受信アンテナ１−２〜１−４のみを使用することは、一例として、制御部６などにより、使用する受信アンテナ１−２〜１−４により受信された信号に関する処理を信号処理部２０で行うとともに、使用しない受信アンテナ１−１、１−５により受信された信号に関する処理を信号処理部２０で行わないように制御する構成によって、実現することができる。
他の構成例として、このように一部の受信アンテナ１−２〜１−４のみを使用することは、制御部６などにより、使用する受信アンテナ１−２〜１−４の接続をスイッチなどによりオンにするとともに、使用しない受信アンテナ１−１、１−５の接続をスイッチなどによりオフにする構成によって、実現することができる。
【００７０】
本実施形態では、図２（ａ）に示されるように、全ての受信アンテナ１−１〜１−５を使用する不等ピッチの受信アレーアンテナを「Ａタイプ」（５チャンネルの不等間隔アレーＡのタイプ）と称し、また、図２（ｂ）に示されるように、一部の受信アンテナ１−２〜１−４を使用する等ピッチの受信アレーアンテナを「Ｂタイプ」（３チャンネルの等間隔アレーＢのタイプ）と称して、説明を行う。
【００７１】
本実施形態では、概略的には、図２（ａ）（または、図２（ｂ））に示される受信アンテナの配置を用いて、対象物（反射物）からの反射波を受信して、ミキサ２−１〜２−ｎによりミキシングすることで、ビート信号を生成する。このビート信号をＡ／Ｄ変換器５によりデジタル信号にしてメモリ２１に取り込み、信号処理部２０の周波数分解処理部２２でＦＦＴ処理することにより、反射物に対する周波数成分を抽出する。そして、変調周波数の増加区間（上昇部分）と減少区間（下降部分）において抽出された周波数成分の組合わせに基づいて、本実施形態に係るレーダ装置と対象物との距離と相対速度を算出する。
【００７２】
また、信号処理部２０の周波数分解処理部２２により抽出された反射物に対する周波数成分に対して、方位検出部３１により対象物の方位を検出する。
この場合に、方位検出部３１で使用されるアルゴリズムでは、方位検出範囲の内に存在する対象物については方位検出範囲の内にある本物として検出されるが、方位検出範囲の外に存在する対象物については方位検出範囲の内に折返した位置で検出される。
【００７３】
そこで、本実施形態では、図２（ａ）に示される「Ａタイプ」のように異なる間隔ｄ１、ｄ２で受信アンテナを並べた不等ピッチの受信アレーアンテナを用いた場合における全てのチャンネルを使用した対象物の方位検出を行うとともに、図２（ｂ）に示される「Ｂタイプ」のように等しい間隔ｄ１で受信アンテナを並べた等ピッチの受信アレーアンテナを用いた場合における一部のチャンネルを使用した対象物の方位検出を行う。
【００７４】
ここで、受信アレーアンテナでは、隣接する受信アンテナの間隔の平均値（平均ピッチ）で方位検出範囲の広さが決まる。本実施形態では、平均ピッチがｄ０（ｄ１とｄ２の平均値）となる「Ａタイプ」の受信アレーアンテナと、平均ピッチがｄ１となる「Ｂタイプ」の受信アレーアンテナとでは、方位検出範囲の広さが異なっている。このため、「Ａタイプ」の受信アレーアンテナを用いた場合における方位検出結果と、「Ｂタイプ」の受信アレーアンテナを用いた場合における方位検出結果との組合わせでは、対象物が両方の方位検出範囲の内（つまり、狭い方の方位検出範囲の内）に存在する場合には互いの方位検出結果が一致するが、対象物が少なくとも一方の方位検出範囲の外（つまり、少なくとも狭い方の方位検出範囲の外であって、２つの方位検出範囲の共通部分の外）に存在する場合には互いの方位検出結果に差分（ずれ）が生じる算出結果となる。このような互いの方位検出結果の差分は、互いの方位検出範囲の差分に応じたものとなる。
【００７５】
このことを利用する。具体的には、これら２つの方位検出結果が一致した場合には、これら２つの方位検出範囲の内に存在する対象物であると判定し、これら２つの方位検出結果が一致しなかった場合には、少なくとも一方の方位検出範囲の外に存在する対象物であると判定する。これにより、対象物が方位検出範囲（ここでは、２つの方位検出範囲の共通部分）の内または外のいずれに存在するのかを判別することができる。
【００７６】
また、本実施形態では、反射物に対する周波数成分に対して、位相の回転を行うことで、対象物の方位を見かけ上で変化（シフト）させた状態で、対象物の方位検出を行う。そして、対象物の方位を見かけ上で変化させた状態で、対象物が方位検出範囲（ここでは、２つの方位検出範囲の共通部分）の内に存在するかあるいは外に存在する（左右の折返し位置に存在する）かを判別し、対象物が方位検出範囲（ここでは、２つの方位検出範囲の共通部分）の内に存在する場合だけ、前記の変化（シフト）させた分だけ方位を戻して、対象物の方位を検出する。この場合、対象物の方位を見かけ上で変化させた状態で、当該対象物が見かけ上で方位検出範囲（ここでは、２つの方位検出範囲の共通部分）の内にシフトされて入るときには、当該対象物の方位を正確に検出することができる。
【００７７】
図３は、本発明の一実施形態に係る方位検出部３１において行われる処理の手順の一例を示すフローチャート図である。
方位検出部３１は、周波数分解処理部２２からデータ（本実施形態では、反射物に対する周波数成分に関するデータ）を入力する（ステップＳ１）。
なお、本実施形態では、方位検出部３１は、固有値算出部２９により算出された固有値のデータや、判定部３０により判定された次数のデータについても、入力する（ステップＳ１）。
【００７８】
方位検出部３１において行われる第１の処理（ステップＳ２〜ステップＳ６の処理）について説明する。
第１の処理では、検出された対象物が方位検出範囲（ここでは、２つの方位検出範囲の共通部分）の内に存在するかあるいは外に存在する（つまり、折返しである）かを判定する。
【００７９】
まず、方位検出部３１は、「Ａタイプ」である不等間隔アレーＡを用いて、方位検出の処理を行い、対象物の方位（方位角度の位置）を検出する（ステップＳ２）。
次に、方位検出部３１は、「Ｂタイプ」である等間隔アレーＢを用いて、方位検出の処理を行い、対象物の方位（方位角度の位置）を検出する（ステップＳ３）。
なお、ステップＳ２の処理とステップＳ３の処理の順序は、逆であってもよい。
【００８０】
そして、方位検出部３１は、それぞれの対象物ごとに、これら２つの方位検出の結果を比較する処理を行う（ステップＳ４〜ステップＳ６）。
具体的には、方位検出部３１は、「Ａタイプ」について得られた方位検出の結果（方位角度の位置）と「Ｂタイプ」について得られた方位検出の結果（方位角度の位置）とに差分があるか否かを判定する（ステップＳ４）。
【００８１】
この判定の結果、方位検出部３１は、「Ａタイプ」について得られた方位検出の結果（方位角度の位置）と「Ｂタイプ」について得られた方位検出の結果（方位角度の位置）とに差分がないと判定した場合には、方位検出範囲（ここでは、２つの方位検出範囲の共通部分）の内に存在する対象物（本物）であるとして、例えば、「Ａタイプ」について得られた方位検出の結果（方位角度の位置）を対象物の方位のデータとして設定する（ステップＳ５）。
【００８２】
なお、この場合に、「Ａタイプ」について得られた方位検出の結果（方位角度の位置）の代わりに、「Ｂタイプ」について得られた方位検出の結果（方位角度の位置）を対象物の方位のデータとして設定することも可能である。
【００８３】
一方、前記の判定の結果、方位検出部３１は、「Ａタイプ」について得られた方位検出の結果（方位角度の位置）と「Ｂタイプ」について得られた方位検出の結果（方位角度の位置）とに差分があると判定した場合には、方位検出範囲（ここでは、２つの方位検出範囲の共通部分）の外に存在する対象物が方位検出範囲（ここでは、２つの方位検出範囲の共通部分）の内に折返した位置で検出されたとみなして、折返しデータであると判定する（ステップＳ６）。
【００８４】
なお、「Ａタイプ」について得られた方位検出の結果（方位角度の位置）と「Ｂタイプ」について得られた方位検出の結果（方位角度の位置）とに差分があるか否かを判定する手法としては、一例として、これら２つの方位検出の結果の値（方位角度の位置を示す値）が同一でない場合（つまり、異なる場合）に差分があると判定し、これら２つの方位検出の結果の値が同一である場合に差分がないと判定する手法を用いることができる。
他の例として、これら２つの方位検出の結果の値の誤差を多少許容するようなときには、これら２つの方位検出の結果の値の差があらかじめ定められた閾値以上である場合に差分があると判定し、これら２つの方位検出の結果の値の差が当該閾値未満である場合に差分がないと判定する手法を用いることもできる。
【００８５】
ここで、方位検出部３１は、前記の判定の結果（ステップＳ４）、折返しデータであると判定した場合には（ステップＳ６）、続けて、第２の処理（ステップＳ７〜ステップＳ１２の処理）を行う。
【００８６】
方位検出部３１において行われる第２の処理（ステップＳ７〜ステップＳ１２の処理）について説明する。
第２の処理では、方位検出範囲（ここでは、２つの方位検出範囲の共通部分）の外に存在する対象物の方位を検出する。
【００８７】
まず、方位検出部３１は、ステップＳ１の処理において周波数分解処理部２２から入力されたデータ（本実施形態では、反射物に対する周波数成分に関するデータ）に対して、その周波数成分のデータの位相をあらかじめ定められた値φだけ回転させる処理を行う（ステップＳ７）。
【００８８】
ここで、周波数分解処理部２２から方位検出部３１に入力される、受信アンテナ１−１〜１−ｎごとの複素数データ（周波数成分のデータ）には、対象物の方位角度θに依存した位相差がある。
そこで、周波数成分のデータの位相を回転させる値φとしては、その周波数成分のデータに対応する対象物の方位角度θをあらかじめ定められた値だけ変化させる値が用いられる。
なお、周波数成分のデータの位相を回転させる値φとしては、例えば、受信アンテナ１−１〜１−ｎごとに異なっている。
【００８９】
例えば、周波数成分のデータに対応する対象物の方位角度θをあらかじめ定められた値（−θ１）だけ変化させるように周波数成分のデータの位相を回転させると、当該対象物が見かけ上で方位角度（θ−θ１）の位置に存在するとして検出される。
逆に、周波数成分のデータに対応する対象物の方位角度θをあらかじめ定められた値（＋θ１）だけ変化させるように周波数成分のデータの位相を回転させると、当該対象物が見かけ上で方位角度（θ＋θ１）の位置に存在するとして検出される。
【００９０】
このように周波数成分のデータの位相を回転させたデータを用いて、まず、方位検出部３１は、「Ａタイプ」である不等間隔アレーＡを用いて、方位検出の処理を行い、対象物の方位（方位角度の位置）を検出する（ステップＳ８）。
次に、このように周波数成分のデータの位相を回転させたデータを用いて、方位検出部３１は、「Ｂタイプ」である等間隔アレーＢを用いて、方位検出の処理を行い、対象物の方位（方位角度の位置）を検出する（ステップＳ９）。
なお、ステップＳ８の処理とステップＳ９の処理の順序は、逆であってもよい。
【００９１】
そして、方位検出部３１は、それぞれの対象物ごとに、これら２つの方位検出の結果を比較する処理を行う（ステップＳ１０〜ステップＳ１２）。
具体的には、方位検出部３１は、「Ａタイプ」について得られた方位検出の結果（方位角度の位置）と「Ｂタイプ」について得られた方位検出の結果（方位角度の位置）とに差分があるか否かを判定する（ステップＳ１０）。
【００９２】
この判定の結果、方位検出部３１は、「Ａタイプ」について得られた方位検出の結果（方位角度の位置）と「Ｂタイプ」について得られた方位検出の結果（方位角度の位置）とに差分がないと判定した場合には、見かけ上で、方位検出範囲（ここでは、２つの方位検出範囲の共通部分）の内に存在する対象物（本物）であるとして、例えば、「Ａタイプ」について得られた方位検出の結果（方位角度の位置）に対して、ステップＳ７の処理における方位角度θの回転の逆回転を行い、その結果を対象物の方位のデータとして設定する（ステップＳ１１）。
【００９３】
なお、この場合に、「Ａタイプ」について得られた方位検出の結果（方位角度の位置）の代わりに、「Ｂタイプ」について得られた方位検出の結果（方位角度の位置）に対して、ステップＳ７の処理における方位角度θの回転の逆回転を行い、その結果を対象物の方位のデータとして設定することも可能である。
【００９４】
ここで、方位検出部３１における第２の処理では、対象物の方位角度θについて、見かけ上で所定の回転を行った状態で方位検出を行っているため、当該方位検出により検出された結果に対して逆の回転を行ったものを実際の方位角度の結果として得ている。
【００９５】
一方、前記の判定の結果、方位検出部３１は、「Ａタイプ」について得られた方位検出の結果（方位角度の位置）と「Ｂタイプ」について得られた方位検出の結果（方位角度の位置）とに差分があると判定した場合には、見かけ上で、方位検出範囲（ここでは、２つの方位検出範囲の共通部分）の外に存在する対象物が方位検出範囲（ここでは、２つの方位検出範囲の共通部分）の内に折返した位置で検出されたとみなして、これらの方位検出の結果については対象物に関するデータに含めないように除外する（ステップＳ１２）。
【００９６】
なお、「Ａタイプ」について得られた方位検出の結果（方位角度の位置）と「Ｂタイプ」について得られた方位検出の結果（方位角度の位置）とに差分があるか否かを判定する手法としては、一例として、これら２つの方位検出の結果の値（方位角度の位置を示す値）が同一でない場合（つまり、異なる場合）に差分があると判定し、これら２つの方位検出の結果の値が同一である場合に差分がないと判定する手法を用いることができる。
他の例として、これら２つの方位検出の結果の値の誤差を多少許容するようなときには、これら２つの方位検出の結果の値の差があらかじめ定められた閾値以上である場合に差分があると判定し、これら２つの方位検出の結果の値の差が当該閾値未満である場合に差分がないと判定する手法を用いることもできる。
【００９７】
このように、図３に示されるフローチャートの例における第１の処理では、方位検出部３１は、反射物に対する周波数成分に対して、「Ａタイプ」について方位検出処理を行って対象物の方位情報を算出するとともに、「Ｂタイプ」について方位検出処理を行って対象物の方位情報を算出し、これら２つのタイプについて対象物の方位情報を算出した後に、それぞれの対象物ごとに、これら２つのタイプについて得られた対象物の方位情報を比較する。そして、方位検出部３１は、それぞれの対象物ごとに、これら２つのタイプについて得られた対象物の方位情報が一致（誤差が許容されてもよい）している場合に、方位検出範囲（ここでは、２つの方位検出範囲の共通部分）の内に存在する対象物であると判定して、そのデータを設定する。
【００９８】
また、図３に示されるフローチャートの例における第２の処理では、方位検出部３１は、第１の処理において方位検出範囲（ここでは、２つの方位検出範囲の共通部分）の外に存在する対象物であると判定された反射物に対する周波数成分に対して、所定の方位角度の分だけ位相を回転させる処理を行い、その結果のデータを用いて、「Ａタイプ」について方位検出処理を行って対象物の方位情報を算出するとともに、「Ｂタイプ」について方位検出処理を行って対象物の方位情報を算出し、これら２つのタイプについて対象物の方位情報を算出した後に、それぞれの対象物ごとに、これら２つのタイプについて得られた対象物の方位情報を比較する。そして、方位検出部３１は、それぞれの対象物ごとに、これら２つのタイプについて得られた対象物の方位情報が一致（誤差が許容されてもよい）している場合に、見かけ上で、方位検出範囲（ここでは、２つの方位検出範囲の共通部分）の内に存在する対象物であると判定して、前記した所定の方位角度の分だけ逆回転を行って、そのデータを設定する。
【００９９】
なお、図３に示されるフローチャートの例における第２の処理では、方位検出部３１は、２つのタイプについて得られた対象物の方位情報が一致（誤差が許容されてもよい）していない場合には、見かけ上で、方位検出範囲（ここでは、２つの方位検出範囲の共通部分）の外に存在する対象物であると判定して、その判定結果をステータスなどに保持させずに、対象物のデータから除外することを行ったが、他の例として、２つのタイプについて得られた対象物の方位情報が一致（誤差が許容されてもよい）していない場合には、見かけ上で、方位検出範囲（ここでは、２つの方位検出範囲の共通部分）の外に存在する対象物であると判定して、その判定結果をステータスなどに保持させることが行われてもよい。
【０１００】
ここで、ステップＳ７の処理において対象物の方位角度θに関する回転を行う量については、任意の量が用いられてもよい。
一例として、ステップＳ７の処理において対象物の方位角度θに関する回転を行う量として、「Ａタイプ」と「Ｂタイプ」とで狭い方の方位検出範囲に相当する角度未満の量を用いることができ、この場合、当該方位検出範囲に対して１回の折返しに部分的に対応することができる。
他の例として、ステップＳ７の処理において対象物の方位角度θに関する回転を行う量として、「Ａタイプ」と「Ｂタイプ」とで狭い方の方位検出範囲に相当する角度のｑ（ｑは１以上の整数）倍の角度の量を用いることができ、この場合、当該方位検出範囲に対してｑ回の折返しに対応することができる。
【０１０１】
また、ステップＳ７の処理において、例えば、対象物の方位角度θに関する回転を、プラスの方向とマイナスの方向とで同じ量だけ行って、これら２つの回転の結果のそれぞれについて、ステップＳ８〜ステップＳ１２の処理を行うこともできる。他の例として、第１の処理において「Ａタイプ」について得られた方位検出の結果（方位角度の位置）と「Ｂタイプ」について得られた方位検出の結果（方位角度の位置）との差分の関係（互いの位置の関係）に基づいて、ステップＳ７の処理において、対象物の方位角度θに関する回転を行う方向（プラスの方向またはマイナスの方向）を決定し、決定した方向のみに対象物の方位角度θに関する回転を行う構成を用いることもできる。
【０１０２】
また、第２の処理において、例えば、ステップＳ１０の処理における判定の結果、「Ａタイプ」について得られた方位検出の結果（方位角度の位置）と「Ｂタイプ」について得られた方位検出の結果（方位角度の位置）とに差分があると判定した場合には、方位検出部３１は、ステップＳ１２の処理における対象物データからの削除をせずに、ステップＳ７の処理へ戻って、対象物の方位角度θに関する回転の量を変更してステップＳ７〜ステップＳ１２の処理を行う構成を用いることもできる。
このような構成では、一例として、ステップＳ７の処理において対象物の方位角度θに関する回転を行う量として、「Ａタイプ」と「Ｂタイプ」とで狭い方の方位検出範囲に相当する角度のｑ（ｑは１以上の整数）倍の角度の量を用いることとし、このｑの値を初期値の１からステップＳ７の処理へ戻るごとに１ずつ増加させていく態様を用いることができる。これにより、第１の処理の後に、１回折返し、２回折返し、３回折返し、・・・という順序で、第２の処理を行うことができる。
【０１０３】
ここで、図３に示されるフローチャートの例では、第１の処理を行った後に第２の処理を行うが、他の例として、第１の処理を行わずに、第２の処理を行ってもよい。すなわち、対象物が方位検出範囲（ここでは、２つの方位検出範囲の共通部分）の内に存在するかあるいは外に存在するかを判定することなく、第２の処理を行ってもよい。
【０１０４】
図４〜図１０を参照して、より具体的に説明する。
図４（ａ）は、方位検出範囲（ＦＯＶ）の内に対象物が存在する場合の様子の例を示す図である。
図４（ｂ）は、方位検出範囲（ＦＯＶ）の外（左）に対象物が存在する場合の様子の例を示す図である。
図４（ｃ）は、方位検出範囲（ＦＯＶ）の外（右）に対象物が存在する場合の様子の例を示す図である。
【０１０５】
図４（ａ）、図４（ｂ）、図４（ｃ）に示される方位検出範囲（ＦＯＶ）は、「Ａタイプ」の方位検出範囲と「Ｂタイプ」の方位検出範囲とで狭い方の方位検出範囲（ＦＯＶ）を表す。この例では、「Ｂタイプ」の方位検出範囲の方が「Ａタイプ」の方位検出範囲よりも狭いとする。
【０１０６】
また、方位検出範囲（ＦＯＶ）の外（左）は、対象物の方位におけるマイナス方向またはプラス方向のうちの一方の方向で、方位検出範囲（ＦＯＶ）の内から外れた折返しの領域（折返しエリア）を表す。
また、方位検出範囲（ＦＯＶ）の外（右）は、対象物の方位におけるマイナス方向またはプラス方向のうちの他方の方向で、方位検出範囲（ＦＯＶ）の内から外れた折返しの領域（折返しエリア）を表す。
【０１０７】
図４（ａ）の例では、対象物（ターゲット）１０１が方位検出範囲（ＦＯＶ）の内に存在する。
この場合、「Ａタイプ」を用いて方位検出を行った結果として得られる方位（方位角度）を表すスペクトル（この例では、スペクトル１０２とする）のピーク位置と、「Ｂタイプ」を用いて方位検出を行った結果として得られる方位（方位角度）を表すスペクトル（この例では、スペクトル１０３とする）のピーク位置とが一致する。このため、この一致したピーク位置に対応する方位角度の位置（ターゲット検出位置）１０４を対象物１０１の方位として検出する。
【０１０８】
図４（ｂ）の例では、対象物（ターゲット）１１１が方位検出範囲（ＦＯＶ）の外（左）に存在する。
この場合、「Ａタイプ」を用いて方位検出を行った結果として得られる方位（方位角度）を表すスペクトル（この例では、スペクトル１１２とする）のピーク位置と、「Ｂタイプ」を用いて方位検出を行った結果として得られる方位（方位角度）を表すスペクトル（この例では、スペクトル１１３とする）のピーク位置とがずれて不一致となる。この例では、スペクトル１１３のピーク位置の方がスペクトル１１２のピーク位置よりも左側にある。
【０１０９】
このとき、対象物１１１の実際の方位（折返しがないとしたときの方位）にはスペクトル１１４のピーク位置が対応するが、方位検出処理では、１回の折返し位置として、ターゲット検出位置１１５辺りが対象物１１１の方位として検出される。
ここで、２つのスペクトル１１２、１１３のピーク位置の関係を参照すると、左方向への折返しであることを判定することができる。そこで、１回の折返しであるとみなして、折返しを考慮することで、方位検出処理の結果（例えば、２つのスペクトル１１２、１１３のピーク位置の関係）に基づいて、対象物１１１の実際の方位を決定することができる。これにより、実質的に方位検出範囲（ＦＯＶ）を広げたことと等価な効果を得ることができる。
【０１１０】
図４（ｃ）の例では、対象物（ターゲット）１２１が方位検出範囲（ＦＯＶ）の外（右）に存在する。
この場合、「Ａタイプ」を用いて方位検出を行った結果として得られる方位（方位角度）を表すスペクトル（この例では、スペクトル１２２とする）のピーク位置と、「Ｂタイプ」を用いて方位検出を行った結果として得られる方位（方位角度）を表すスペクトル（この例では、スペクトル１２３とする）のピーク位置とがずれて不一致となる。この例では、スペクトル１２３のピーク位置の方がスペクトル１２２のピーク位置よりも右側にある。
【０１１１】
このとき、対象物１２１の実際の方位（折返しがないとしたときの方位）にはスペクトル１２４のピーク位置が対応するが、方位検出処理では、１回の折返し位置として、ターゲット検出位置１２５辺りが対象物１２１の方位として検出される。
ここで、２つのスペクトル１２２、１２３のピーク位置の関係を参照すると、右方向への折返しであることを判定することができる。そこで、１回の折返しであるとみなして、折返しを考慮することで、方位検出処理の結果（例えば、２つのスペクトル１２２、１２３のピーク位置の関係）に基づいて、対象物１２１の実際の方位を決定することができる。これにより、実質的に方位検出範囲（ＦＯＶ）を広げたことと等価な効果を得ることができる。
【０１１２】
図５および図６により、本実施形態に係るレーダ装置に関するシミュレーションの結果を示す。
図５（ａ）は、シミュレーションにおける自車２０１と他車２０２との関係を示す図である。
この例では、本実施形態に係るレーダ装置が搭載された自車２０１の前方方向（進行方向）の軸に対して、Ｙ［ｍ］（Ｙは０より大きい値）左の方に、対象物となる他車２０２が存在する。
【０１１３】
図５（ｂ）は、シミュレーションの条件を示す図である。
この例では、受信アンテナ数（受信素子数）がＮ（Ｎは、例えば、３以上の整数）であり、受信アレーアンテナの中央ピッチｄ１がｄ０＋α（αは、例えば、０より大きい値）であり、受信アレーアンテナの両端ピッチｄ２がｄ０−αであり、受信アレーアンテナの合成ピッチ（平均ピッチ）がｄ０である。
【０１１４】
図６は、自車２０１に搭載された本実施形態に係るレーダ装置に関するシミュレーションの結果を示す図である。
図６に示されるグラフでは、横軸は本実施形態に係るレーダ装置により検出される対象物（他車２０２）との距離（検出距離［ｍ］）を表し、縦軸は本実施形態に係るレーダ装置により検出される対象物（他車２０２）の方位角度（方位検出角度［ｄｅｇ］）を表す。
図５（ａ）において、自車２０１と他車２０２との距離が遠い位置から次第に近い位置になっていく場合がグラフに反映されている。
【０１１５】
図６に示されるグラフにおいて、自車２０１と他車２０２との距離がＲ２［ｍ］（Ｒ２は０より大きい値）辺りからＲ１［ｍ］（Ｒ１は、０より大きい値であり、Ｒ２より小さい値）辺りまでは、対象物（他車２０２）が方位検出範囲（ここでは、２つの方位検出範囲の共通部分）の内に存在し、「Ａタイプ」の不等間隔アレーＡを用いた方位検出の結果と「Ｂタイプ」の等間隔アレーＢを用いた方位検出の結果とが一致する。この一致する方位検出の結果が、曲線１００１で表されている。これにより、本物の方位角度が検出される。
【０１１６】
一方、自車２０１と他車２０２との距離がＲ１［ｍ］辺りより小さくなると、対象物（他車２０２）が方位検出範囲（ここでは、２つの方位検出範囲の共通部分）の外へ出て、「Ａタイプ」の不等間隔アレーＡを用いた方位検出の結果（曲線１００２で表されている）と「Ｂタイプ」の等間隔アレーＢを用いた方位検出の結果（曲線１００３で表されている）とが不一致となってずれる。この場合、折返しの方位角度が検出される。
【０１１７】
図７および図８により、本実施形態に係るレーダ装置に関する実機でのシミュレーションの結果を示す。なお、この例では、方位検出処理において、ＭＣＯＶ法を使用している。
図７（ａ）は、実機でのシミュレーションにおける自車３０１とＣＲ（コーナリフレクタ）３０２との関係を示す図である。
この例では、本実施形態に係るレーダ装置が搭載された自車３０１の前方方向（進行方向）の軸に対して、Ｙ［ｍ］左の方に、対象物となるＣＲ３０２が存在する。そして、自車３０１はＣＲ３０２の横を通過する。
【０１１８】
図７（ｂ）は、実機でのシミュレーションの条件を示す図である。
この例では、受信アンテナ数（受信素子数）がＮ（Ｎは、例えば、３以上の整数）であり、受信アレーアンテナの中央ピッチｄ１がｄ０＋α（αは、例えば、０より大きい値）であり、受信アレーアンテナの両端ピッチｄ２がｄ０−αであり、受信アレーアンテナの合成ピッチ（平均ピッチ）がｄ０である。
【０１１９】
図８は、本発明の一実施形態に係るレーダ装置に関する実機でのシミュレーションの結果を示す図である。
図８に示されるグラフでは、横軸は本実施形態に係るレーダ装置により検出される対象物（ＣＲ３０２）との距離（検出距離［ｍ］）を表し、縦軸は本実施形態に係るレーダ装置により検出される対象物（ＣＲ３０２）の方位角度（方位検出角度［ｄｅｇ］）を表す。
図７（ａ）において、自車３０１とＣＲ３０２との距離が遠い位置から次第に近い位置になっていく場合がグラフに反映されている。
【０１２０】
図８に示されるグラフにおいて、自車３０１とＣＲ３０２との距離がＲ２［ｍ］（Ｒ２は０より大きい値）辺りからＲ１［ｍ］（Ｒ１は、０より大きい値であり、Ｒ２より小さい値）辺りまでは、対象物（ＣＲ３０２）が方位検出範囲（ここでは、２つの方位検出範囲の共通部分）の内に存在し、「Ａタイプ」の不等間隔アレーＡを用いた方位検出の結果（曲線１１０１で表されている）と「Ｂタイプ」の等間隔アレーＢを用いた方位検出の結果（曲線１１０２で表されている）とが、実際の対象物の方位角度の位置（曲線１１０３で表されている）と一致する。
【０１２１】
また、自車３０１とＣＲ３０２との距離がＲ１［ｍ］辺りになると、まず、「Ｂタイプ」の等間隔アレーＢを用いた方位検出の結果（曲線１１０４で表されている）において、折返しが開始する。
【０１２２】
さらに、自車３０１とＣＲ３０２との距離がＲ１［ｍ］辺りより小さくなると、対象物（ＣＲ３０２）が両方の方位検出範囲の外へ出て、「Ａタイプ」の不等間隔アレーＡを用いた方位検出の結果（曲線１１１１で表されている）と「Ｂタイプ」の等間隔アレーＢを用いた方位検出の結果（曲線１１１２で表されている）の両方において、折返しが生じる。これにより、「Ａタイプ」の不等間隔アレーＡを用いた方位検出の結果（曲線１１１１で表されている）と「Ｂタイプ」の等間隔アレーＢを用いた方位検出の結果（曲線１１１２で表されている）とが不一致となってずれる。この場合、折返しの方位角度が検出される。
【０１２３】
図９および図１０により、対象物（ターゲット）の方位の変化（シフト）について説明する。
図９（ａ）は、対象物（ターゲット）４０１の方位を見かけ上で変化（シフト）させる前の様子の例を示す図である。
図９（ｂ）は、対象物（ターゲット）４０１の方位を見かけ上で変化（シフト）させた後の様子の例を示す図である。
【０１２４】
図９（ａ）、図９（ｂ）に示される方位検出範囲（ＦＯＶ）は、「Ａタイプ」の方位検出範囲と「Ｂタイプ」の方位検出範囲とで狭い方の方位検出範囲（ＦＯＶ）を表す。この例では、「Ｂタイプ」の方位検出範囲の方が「Ａタイプ」の方位検出範囲よりも狭いとする。
【０１２５】
また、方位検出範囲（ＦＯＶ）の外（左）は、対象物の方位におけるマイナス方向またはプラス方向のうちの一方の方向で、方位検出範囲（ＦＯＶ）の内から外れた折返しの領域（折返しエリア）を表す。
また、方位検出範囲（ＦＯＶ）の外（右）は、対象物の方位におけるマイナス方向またはプラス方向のうちの他方の方向で、方位検出範囲（ＦＯＶ）の内から外れた折返しの領域（折返しエリア）を表す。
【０１２６】
ここで、図９（ａ）および図９（ｂ）の例では、方位検出範囲（ＦＯＶ）の外（左）に対象物が存在する場合に、当該対象物の方位を見かけ上で変化させる処理について示すが、他の例として、方位検出範囲（ＦＯＶ）の外（右）に対象物が存在する場合に、当該対象物の方位を見かけ上で変化させる処理についても同様である。
【０１２７】
図９（ａ）の例では、対象物（ターゲット）４０１が方位検出範囲（ＦＯＶ）４５１の外（左）に存在する。
この場合、「Ａタイプ」を用いて方位検出を行った結果として得られる方位（方位角度）を表すスペクトル（この例では、スペクトル４０２とする）のピーク位置と、「Ｂタイプ」を用いて方位検出を行った結果として得られる方位（方位角度）を表すスペクトル（この例では、スペクトル４０３とする）のピーク位置とがずれて不一致となる。この例では、スペクトル４０３のピーク位置の方がスペクトル４０２のピーク位置よりも左側にある。
【０１２８】
このとき、対象物４０１の実際の方位（折返しがないとしたときの方位）にはスペクトル４０４のピーク位置が対応するが、方位検出処理では、１回の折返し位置として、ターゲット検出位置４０５辺りが対象物４０１の方位として検出される。
【０１２９】
ここで、２つのスペクトル４０２、４０３のピーク位置の関係を参照すると、左方向への折返しであることを判定することができる。つまり、実際には対象物４０１の方位角度の位置は方位検出範囲（ＦＯＶ）４５１の左側の外の位置４０６であることが把握される。
そこで、例えば１回の折返しに対応してあらかじめ定められた角度の分だけ、対象物４０１の方位を見かけ上で右方向へ変化させる。この場合、方位検出範囲（ＦＯＶ）４５１は、見かけ上で同じ角度の分だけ左方向へ変化して、方位検出範囲（ＦＯＶ）４５２となる。
【０１３０】
ここで、この例では、このような対象物４０１の見かけ上の方位の変化によって、変化後の状態では、対象物４０１が方位検出範囲（ＦＯＶ）４５２の内に存在することになるとする。
【０１３１】
図９（ｂ）の例では、上記のような対象物４０１に対する方位の変化によって、見かけ上で、対象物（ターゲット）４０１が方位検出範囲（ＦＯＶ）４５２の内に存在する。
この場合、「Ａタイプ」を用いて方位検出を行った結果として得られる方位（方位角度）を表すスペクトル（この例では、スペクトル４１２とする）のピーク位置と、「Ｂタイプ」を用いて方位検出を行った結果として得られる方位（方位角度）を表すスペクトル（この例では、スペクトル４１３とする）のピーク位置とが一致する。このため、この一致したピーク位置に対応する方位角度の位置（ターゲット検出位置）４１４を検出し、検出した方位角度の位置４１４に対して逆の方位の変化（前記した対象物４０１に対する方位の変化に相当する逆の方位の変化）を与えた結果を、実際の対象物４０１の方位として検出する。
【０１３２】
このような処理によって、対象物４０１の実際の方位を決定することができる。これにより、実質的に方位検出範囲（ＦＯＶ）を広げたことと等価な効果を得ることができる。
【０１３３】
図１０（ａ）は、方位検出範囲（ＦＯＶ）の外（左）に対象物が存在する場合の様子の例を示す図である。
図１０（ｂ）は、方位検出範囲（ＦＯＶ）の外（左）に対象物が存在する場合における方位検出結果の例を示す図である。
図１０（ｃ）は、対象物の方位を見かけ上で変化（シフト）させた後の様子の例を示す図である。
図１０（ｄ）は、対象物の方位を見かけ上で変化（シフト）させた後における方位検出結果の例を示す図である。
【０１３４】
図１０（ａ）、図１０（ｃ）に示される方位検出範囲（ＦＯＶ）は、「Ａタイプ」の方位検出範囲と「Ｂタイプ」の方位検出範囲とで狭い方の方位検出範囲（ＦＯＶ）を表す。この例では、「Ｂタイプ」の方位検出範囲の方が「Ａタイプ」の方位検出範囲よりも狭いとする。
【０１３５】
また、方位検出範囲（ＦＯＶ）の外（左）は、対象物の方位におけるマイナス方向またはプラス方向のうちの一方の方向で、方位検出範囲（ＦＯＶ）の内から外れた折返しの領域（折返しエリア）を表す。
また、方位検出範囲（ＦＯＶ）の外（右）は、対象物の方位におけるマイナス方向またはプラス方向のうちの他方の方向で、方位検出範囲（ＦＯＶ）の内から外れた折返しの領域（折返しエリア）を表す。
【０１３６】
ここで、図１０（ａ）〜図１０（ｄ）の例では、方位検出範囲（ＦＯＶ）の外（左）に対象物が存在する場合に、当該対象物の方位を見かけ上で変化させる処理について示すが、他の例として、方位検出範囲（ＦＯＶ）の外（右）に対象物が存在する場合に、当該対象物の方位を見かけ上で変化させる処理についても同様である。
【０１３７】
図１０（ａ）の例では、対象物（ターゲット）５０１が方位検出範囲（ＦＯＶ）の外（左）に存在する。
この例では、方位検出範囲（ＦＯＶ）の中央の方位角度を０°として、対象物５０１が左方向にθ１［°］の方位角度の位置に存在するとする。
【０１３８】
この場合、図１０（ｂ）に示されるように、「Ａタイプ」を用いて方位検出を行った結果として得られる方位（方位角度）を表すスペクトル（この例では、スペクトル１２０１とする）のピーク位置と、「Ｂタイプ」を用いて方位検出を行った結果として得られる方位（方位角度）を表すスペクトル（この例では、スペクトル１２０２とする）のピーク位置とがずれて不一致となる。この例では、スペクトル１２０２のピーク位置の方がスペクトル１２０１のピーク位置よりも左側にある。
【０１３９】
ここで、２つのスペクトル１２０１、１２０２のピーク位置の関係を参照すると、左方向への折返しであることを判定することができる。つまり、実際には対象物５０１の方位角度の位置は方位検出範囲（ＦＯＶ）の左側の外の位置であることが把握される。
そこで、例えば１回の折返しに対応してあらかじめ定められた角度の分だけ、対象物５０１の方位を見かけ上で右方向へ変化させる。この場合、方位検出範囲（ＦＯＶ）は、見かけ上で同じ角度の分だけ左方向へ変化する。
この例では、対象物５０１の方位を見かけ上でβ［°］だけ右方向へ変化させる。この場合、方位検出範囲（ＦＯＶ）は見かけ上でβ［°］だけ左方向へ変化する。
【０１４０】
ここで、この例では、このような対象物５０１の見かけ上の方位の変化によって、変化後の状態では、対象物５０１が方位検出範囲（ＦＯＶ）の内に存在することになるとする。
【０１４１】
図１０（ｃ）の例では、上記のような対象物５０１に対する方位の変化によって、対象物（ターゲット）５０１が、見かけ上で、方位検出範囲（ＦＯＶ）の内の対象物５０２として存在するようになる。
この例では、方位検出範囲（ＦＯＶ）の中央の方位角度を０°として、対象物５０２が左方向にθ２［°］（θ２＝θ１−β）の方位角度の位置に存在すると検出される。
【０１４２】
この場合、図１０（ｄ）に示されるように、「Ａタイプ」を用いて方位検出を行った結果として得られる方位（方位角度）を表すスペクトル（この例では、スペクトル１２１１とする）のピーク位置と、「Ｂタイプ」を用いて方位検出を行った結果として得られる方位（方位角度）を表すスペクトル（この例では、スペクトル１２１２とする）のピーク位置とが一致する。このため、この一致したピーク位置に対応する方位角度の位置（左方向にθ２［°］）を検出し、検出した方位角度の位置に対して逆の方位の変化（前記した対象物５０１に対する方位の変化に相当する逆の方位の変化であり、この例では、β［°］の左方向への変化）を与えた結果（左方向にθ１［°］）を、実際の対象物５０１の方位として検出する。
【０１４３】
このような処理によって、対象物５０１の実際の方位を決定することができる。これにより、実質的に方位検出範囲（ＦＯＶ）を広げたことと等価な効果を得ることができる。
【０１４４】
以上のように、本実施形態に係る車載用のレーダ装置では、複数の受信アンテナ１−１〜１−ｎを異なる間隔ｄ１、ｄ２で並べた不等ピッチの受信アレーアンテナを用いて、２種類の平均的な間隔（平均ピッチ）ｄ０、ｄ１を有するアンテナの配置のそれぞれで対象物の方位検出を行い、それぞれの方位検出の結果の一致の有無を相互的に確認し、この確認の結果に基づいて、対象物が方位検出範囲の内に存在するかあるいは外に存在するかを判別する。
【０１４５】
また、本実施形態に係る車載用のレーダ装置では、対象物が方位検出範囲の外に存在することを判別した場合には、対象物の周波数成分のデータについて、所定の方位角度に対応する位相回転を行い、再度、２種類の平均的な間隔（平均ピッチ）ｄ０、ｄ１を有するアンテナの配置のそれぞれで対象物の方位検出を行い、それぞれの方位検出の結果の一致の有無を相互的に確認し、この確認の結果に基づいて、対象物が方位検出範囲の内に存在するかあるいは外に存在するかを判別する。そして、対象物が方位検出範囲の内に存在することを判別した場合には、前記した所定の方位角度を逆に変化させる（元に戻す）ことを考慮して、対象物の方位を検出する。
【０１４６】
したがって、本実施形態に係る車載用のレーダ装置によれば、方位検出範囲に対して左右のいずれかの外に存在する対象物の折返し位置が検出された場合には、そのことを判定することができる。さらに、この場合に、対象物の方位を見かけ上で変化させることで、方位検出範囲の外に存在する対象物の方位を検出することができる。
このように、例えば、方位検出範囲について、位相が１８０°となる方位を検出範囲の端と規定しなくてもよく、方位検出範囲を広げることが可能となる。
【０１４７】
本実施形態に係る車載用のレーダ装置では、例えば、正確に精度良く、方位検出範囲の内に存在する対象物が検出されているのか、あるいは、方位検出範囲の外に存在する対象物が方位検出範囲の内に折返した位置で検出されているのかを判定することができる。
また、本実施形態に係る車載用のレーダ装置では、例えば、正確に精度良く、方位検出範囲の外に存在する対象物の方位を検出することができる。
【０１４８】
他の構成例として、本実施形態に係る車載用のレーダ装置では、対象物が方位検出範囲の内に存在するかあるいは外に存在するかを判別することを行わずに、対象物の周波数成分のデータについて、所定の方位角度に対応する位相回転を行い、２種類の平均的な間隔（平均ピッチ）ｄ０、ｄ１を有するアンテナの配置のそれぞれで対象物の方位検出を行い、それぞれの方位検出の結果の一致の有無を相互的に確認し、この確認の結果に基づいて、対象物が方位検出範囲の内に存在するかあるいは外に存在するかを判別する。そして、対象物が方位検出範囲の内に存在することを判別した場合には、前記した所定の方位角度を逆に変化させる（元に戻す）ことを考慮して、対象物の方位を検出する。
このような構成においても、例えば、正確に精度良く、方位検出範囲の外に存在する対象物の方位を検出することができる。
【０１４９】
例えば、本実施形態における方位検出では、ソフトウェア的な信号処理によって方位検出範囲を実質的に広げることができるため、必ずしも、物理的に、受信アレーアンテナを構成する受信アンテナの間隔を狭めなくてもよく、あるいは、受信アレーアンテナを構成する受信アンテナの数を増やさなくてもよい。
【０１５０】
また、従来の技術において、対象物の反射レベルを確認（判定）して、対象物が方位検出範囲の内に存在するかあるいは外に存在するかを判定する構成では、例えば、方位検出範囲の内に存在するが反射レベルが小さい対象物を方位検出範囲の外に存在する対象物であると間違って判定することがあった。これに対して、本実施形態における方位検出では、対象物が方位検出範囲の内に存在するかあるいは外に存在するかを、論理的に判定することができるため、対象物の反射レベルによらずに、的確な判定を行うことが可能になる。
【０１５１】
また、従来の技術においては、例えば、車載用のレーダ装置が搭載される自車または対象物（例えば、他車など）が移動することを必要として、方位検出範囲の外に存在する対象物の相対位置の変化や、対象物の反射レベルが低くなることや、あるいは、対象物が突然に折返し位置に検出されることなどを併せて確認して、対象物が方位検出範囲の内に存在するかあるいは外に存在するかを判定する構成があった。これに対して、本実施形態における方位検出では、車載用のレーダ装置が搭載される自車が停止状態で且つ対象物（例えば、他車など）が停止状態であっても、対象物が方位検出範囲の内に存在するかあるいは外に存在するかを判定することが可能である。
【０１５２】
ここで、本実施形態に係るレーダ装置では、図２（ａ）に示される不等ピッチの受信アレーアンテナを備えたが、他の様々な受信アレーアンテナを備えて用いることも可能である。
例えば、受信アレーアンテナについて、受信アンテナの数、あるいは、それぞれの隣り合う受信アンテナの間隔などとしては、様々な態様が用いられてもよい。
【０１５３】
一例として、受信アレーアンテナとして、３個以上の受信アンテナから構成され、隣接する受信アンテナの間隔の平均値（平均ピッチ）が異なる２種類以上のアレーアンテナが実現されるものを用いる。なお、この２種類以上のアレーアンテナの平均ピッチは、整数倍ではないとする。そして、対象物の方位検出を、この２種類以上のアレーアンテナの配置のそれぞれを使用して行い、その結果が一致するか否かに応じて、方位検出範囲（ここでは、２つの方位検出範囲の共通部分）の内に存在する対象物であるか否かを判定する。
【０１５４】
また、好ましい構成例として、受信アレーアンテナを構成する複数の受信アンテナについて、中央から所定の数の間隔については、隣接する受信アンテナの間隔を第１の間隔とし、両端の方にある残りの数の間隔については、隣接する受信アンテナの間隔を第２の間隔（例えば、第１の間隔とは異なり、第１の間隔に対して整数倍ではない値）とする。
なお、例えば、第１の間隔の部分（受信アンテナの数）と第２の間隔の部分（受信アンテナの数）との差が小さいと、２種類のアレーアンテナのそれぞれを用いた方位検出結果の差分が小さいと考えられるため、これら２つの部分（受信アンテナの数）を適度に設定するのが好ましいと考えられる。
【０１５５】
具体例として、受信アレーアンテナを構成する６個の受信アンテナにおいて、両端の１個ずつの間隔のみについて、隣接する受信アンテナの間隔を第２の間隔とし、中央に近い方の残りの３個の間隔については、隣接する受信アンテナの間隔を第１の間隔とする。
また、具体例として、受信アレーアンテナを構成する８個の受信アンテナにおいて、両端の２個ずつの間隔のみについて、隣接する受信アンテナの間隔を第２の間隔とし、中央に近い方の残りの３個の間隔については、隣接する受信アンテナの間隔を第１の間隔とする。
また、具体例として、受信アレーアンテナを構成する８個の受信アンテナにおいて、両端の１個ずつの間隔のみについて、隣接する受信アンテナの間隔を第２の間隔とし、中央に近い方の残りの５個の間隔については、隣接する受信アンテナの間隔を第１の間隔とする。
【０１５６】
なお、一般的に、受信アレーアンテナを構成する受信アンテナの数を増やすと、横方向の分解能が向上する。これは、等ピッチの受信アレーアンテナにおいても、不等ピッチの受信アレーアンテナにおいても、同様である。
また、一般的に、方位検出範囲は、受信アレーアンテナを構成する受信アンテナの平均ピッチで決まる。例えば、平均ピッチが小さくなると、方位検出範囲が広がり、横方向の分解能が低下する。
【０１５７】
ここで、（構成例１）〜（構成例５）を示す。
（構成例１）
送信波が対象物によって反射されて到来する受信波を受信する受信アレーアンテナとして、整数倍の関係にない２種類以上の平均ピッチの受信アレーアンテナを実現する複数の受信アンテナと、
前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における方位検出範囲（前記２種類以上の平均ピッチの受信アレーアンテナのそれぞれによる受信信号に基づいて行われる方位検出処理の方位検出範囲のうちで最も狭い方位検出範囲）の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の外に存在すると判定する方位検出部と、
を備えることを特徴とする車載用のレーダ装置。
【０１５８】
（構成例２）
前記方位検出部は、前記２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の内に存在すると判定し、当該検出された前記対象物の方位を前記所定の角度の逆の角度だけ変化させた結果を前記対象物の方位として検出する、
ことを特徴とする（構成例１）に記載の車載用のレーダ装置。
【０１５９】
（構成例３）
前記方位検出部は、
まず、前記２種類以上の平均ピッチの受信アレーアンテナのそれぞれによる受信信号に基づいて前記対象物の方位を検出する方位検出処理を行い、これら２種類以上の平均ピッチの受信アレーアンテナのそれぞれによる受信信号に基づいて検出された前記対象物の方位が一致すると判定した場合には前記対象物が前記方位検出処理における方位検出範囲（前記２種類以上の平均ピッチの受信アレーアンテナのそれぞれによる受信信号に基づいて行われる方位検出処理の方位検出範囲のうちで最も狭い方位検出範囲）の内に存在して当該検出された前記対象物の方位は正しいと判定し、これら２種類以上の平均ピッチの受信アレーアンテナのそれぞれによる受信信号に基づいて検出された前記対象物の方位が不一致であると判定した場合には前記対象物が前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の外に存在して当該検出された前記対象物の方位は正しくないと判定し、
これにより、前記２種類以上の平均ピッチの受信アレーアンテナのそれぞれによる受信信号に基づいて検出された前記対象物の方位が不一致であると判定した場合には、前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する前記方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の外に存在すると判定する、
ことを特徴とする（構成例１）または（構成例２）に記載の車載用のレーダ装置。
【０１６０】
（構成例４）
前記方位検出部は、
前記所定の角度としてプラスの方向とマイナスの方向とで同じ量について、
前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する前記方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の外に存在すると判定する、
ことを特徴とする（構成例３）に記載の車載用のレーダ装置。
【０１６１】
（構成例５）
前記方位検出部は、
まず、前記２種類以上の平均ピッチの受信アレーアンテナのそれぞれによる受信信号に基づいて前記対象物の方位を検出する方位検出処理を行い、これら２種類以上の平均ピッチの受信アレーアンテナのそれぞれによる受信信号に基づいて検出された前記対象物の方位が一致すると判定した場合には前記対象物が前記方位検出処理における方位検出範囲（前記２種類以上の平均ピッチの受信アレーアンテナのそれぞれによる受信信号に基づいて行われる方位検出処理の方位検出範囲のうちで最も狭い方位検出範囲）の内に存在して当該検出された前記対象物の方位は正しいと判定し、これら２種類以上の平均ピッチの受信アレーアンテナのそれぞれによる受信信号に基づいて検出された前記対象物の方位が不一致であると判定した場合には前記対象物が前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の外に存在して当該検出された前記対象物の方位は正しくないと判定し、
これにより、前記２種類以上の平均ピッチの受信アレーアンテナのそれぞれによる受信信号に基づいて検出された前記対象物の方位が不一致であると判定した場合には、前記２種類以上の平均ピッチの受信アレーアンテナのそれぞれによる受信信号に基づいて検出された前記対象物の方位の位置関係に基づいて決定されるプラスとマイナスのいずれか一方の方向の角度について、
前記２種類以上の平均ピッチの受信アレーアンテナのそれぞれによる受信信号について、前記対象物の方位を見かけ上で所定の角度だけ変化させるように位相回転を行い、当該位相回転を行った結果に基づいて前記対象物の方位を検出する前記方位検出処理を行い、これら２種類以上の平均ピッチの受信アレーアンテナのそれぞれによる受信信号について前記位相回転を行った結果に基づいて検出された前記対象物の方位が一致すると判定した場合には前記対象物が前記見かけ上で前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の内に存在すると判定し、これら２種類以上の平均ピッチの受信アレーアンテナのそれぞれによる受信信号について前記位相回転を行った結果に基づいて検出された前記対象物の方位が不一致であると判定した場合には前記対象物が前記見かけ上で前記方位検出処理における前記方位検出範囲（前記２種類以上の平均ピッチの受信アレーアンテナのそれぞれによる受信信号に基づいて行われる方位検出処理の方位検出範囲のうちで最も狭い方位検出範囲）の外に存在すると判定する、
ことを特徴とする（構成例１）または（構成例２）に記載の車載用のレーダ装置。
【０１６２】
以上、本発明の実施形態について図面を参照して詳述してきたが、具体的な構成はこの実施形態に限られるものではなく、本発明の要旨を逸脱しない範囲の設計変更等も含まれる。
【０１６３】
また、上述した実施形態に係るレーダ装置の機能（例えば、信号処理部２０における方位検出部３１あるいは他の処理部２２〜３０のうちの１つ以上の処理部の機能）を実現するためのプログラムをコンピュータ読み取り可能な記録媒体に記録して、この記録媒体に記録されたプログラムをコンピュータシステムに読み込ませ、実行することにより、処理を行ってもよい。なお、ここで言う「コンピュータシステム」とは、ＯＳ（Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【０１６４】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであってもよい。さらに、前述した機能をコンピュータシステムにすでに記録されているプログラムとの組合わせで実現できるもの、いわゆる差分ファイル（差分プログラム）であってもよい。
【符号の説明】
【０１６５】
１−１〜１−ｎ…受信アンテナ  ２−１〜２−ｎ…ミキサ  ３−１〜３−ｎ…フィルタ
４…スイッチ  ５…Ａ／Ｄ変換器  ６…制御部  ７…三角波生成部  ８…ＶＣＯ
９…分配器  １０…送信アンテナ
４１−１〜４１−ｎ、４２、４３、４４、４５−１〜４５−ｎ…アンプ（増幅器）
２０…信号処理部  ２１…メモリ  ２２…周波数分解処理部  ２３…ピーク検知部
２４…ピーク組合せ部  ２５…距離検出部  ２６…速度検出部  ２７…ペア確定部
２８…相関行列算出部  ２９…固有値算出部  ３０…判定部  ３１…方位検出部
【図１】
2013101025.tif 000003
【図２】
2013101025.tif 000004
【図３】
2013101025.tif 000005
【図４】
2013101025.tif 000006
【図５】
2013101025.tif 000007
【図６】
2013101025.tif 000008
【図７】
2013101025.tif 000009
【図８】
2013101025.tif 000010
【図９】
2013101025.tif 000011
【図１０】
2013101025.tif 000012
【図１１】
2013101025.tif 000013